(57)【特許請求の範囲】
【請求項１】
弁座と、該弁座に着座してシールする弁座パッキンを有する弁体と、該弁体を前記弁座に付勢するとともに流体の圧力変動に応じて伸縮動作するコイル状ばねとを備え、該コイル状ばねの各巻線間の隙間を流体の通路としたことを特徴とする逆流防止弁付定流量弁。
【請求項２】
請求項１記載の逆流防止弁付定流量弁を本体に内蔵した小便器。
【発明の詳細な説明】
【０００１】
【発明の属する技術分野】
本発明は、水を代表とする流体を、その供給圧力の変動に拘らず、一定流量で装置へ供給することができ、同時に、弁より下流側からの流体が、供給圧力の変動により上流配管へ逆流することを防ぐことができる逆流防止弁付定流量弁に関するものである。
【０００２】
【従来の技術】
従来、逆流防止弁と定流量弁を一体化させるときは、逆流防止機能と定流量機能の２つの機能を満足させるために、逆流防止弁用のばねと定流量弁用のばねの２つのばねを備えていた。
【０００３】
【発明が解決しようとする課題】
しかしながら、上記従来の構成では、２つのばねを用いるため構造が複雑でコスト高となり、また、弁そのものの大きさが大きくなるため、特に限られたスペース内においては設計に制約があり、有効的なものではなかった。
【０００４】
これを解決するには逆流防止弁と定流量弁を別体とすればよいが、例えば、定流量弁と逆流防止弁を別体とし、逆流防止弁を定流量弁より上流側に位置する止水栓の中に組込んだ場合は、止水栓の開度によりばね定数が微妙に変化するため、上流配管の配置と止水栓の開度によっては流動時に止水栓内のこまが激しいバイブレーションを起こし、異音を発生するという問題が発生していた。
【０００５】
本発明は、上記課題を解決するためになされたもので、本発明の目的は、部品点数の削減とコンパクト化を図るとともに、異音の発生を生じさない逆流防止弁付定流量弁を提供することにある。
【０００６】
【課題を解決するための手段およびその作用・効果】
上記課題を解決するために本発明に係る逆流防止弁付定流量弁は、弁座と、弁座に着座してシールする弁座パッキンを有する弁体と、弁体を弁座に付勢するとともに流体の圧力変動に応じて伸縮動作するコイル状ばねとを備え、コイル状ばねの各巻線間の隙間を流体の通路としたことを特徴としている。
【０００７】
このように構成すれば、流体の圧力変動に応じて伸縮動作するコイル状ばねの初期変位を利用して逆流防止性能を得ることができ、１つのばねで逆流防止機能と定流量機能の２つの機能を果たすことができるため、部品点数の削減とコンパクト化を図ることができる。
【０００８】
また、定流量弁より上流側に位置する止水栓にばねを組込む必要がないため、ばね定数の変化による流動時の止水栓内のこまのバイブレーションによる異音が発生することはない。
【０００９】
また、小便器本体に、本発明に係る逆流防止弁付定流量弁を内蔵すれば、限られたスペース内での設計において非常に有効かつ実用的なものとなる。
【００１０】
【発明の実施の形態】
以下に、本発明の実施の形態を添付図面に基づいて説明する。図１は、本発明に係る逆流防止弁付定流量弁を小便器に備えた例を示す斜視図であり、図２は、本発明に係る逆流防止弁付定流量弁を給水路内に配設した静圧時の状態を示す部分断面図、図３は、図２の動圧時の状態を示す部分断面図である。
【００１１】
図１に示すように、小便器Ａ本体３０の上部のスペース内に自動フラッシュバルブ装置ａが内設されており、この自動フラッシュバルブ装置ａに後述する逆流防止弁付定流量弁１を組み込んである。
【００１２】
また、小便器Ａ本体３０の上部の前面側には人体を検知する人体検知センサ２５が設けられ、その下方部には吐水口２６が設けられている。
【００１３】
以上の構成において、人体検知センサ２５が使用者を検知すると、自動フラッシュバルブ装置ａにより吐水口２６から一定流量の水が尿壁面２７、ボウル面２８へと流れ、尿を洗い流すことができる。
【００１４】
逆流防止弁付定流量弁１は、図２に示すように、自動フラッシュバルブ装置ａの給水路２内に挿入して直接組み込んである。
【００１５】
即ち、給水路２内を直角に分断するように複数の通孔４と、軸受筒体５と、給水路２内に安定させる支持部７とを一体に形成した弁体支持部材３を組み込んでいる。この支持部７は、給水路２内の上流側１８に向かう段部８に当接して、給水路２内の下流側１９へ移動することを防いでいる。
【００１６】
また、支持部７の内面に、上流側１８に弁座支持部１２と弁座１３を一体に形成した弁座支持筒９を嵌合するとともに、弁座支持筒９の外周面に形成した環状溝１０内にＯリング等のシール部材１１を組み付けて、給水路２内との水密を保つようにしている。
【００１７】
また、弁座支持筒９の弁座１３に着座してシールする弁座パッキン１７と、ばね受部１４と、ばね受部１４から下流側１９へ延設したガイド軸１５とを有する弁体２０を、弁座１３と弁体支持部材３との間に介装して、弁支持部材３の軸受筒体５の軸受孔６内に摺動自在および回動自在に設けている。
【００１８】
また、ばね受部１４下面と、弁体支持部材３の支持筒７に連続形成した段部２１との間に、円錐形状のコイル状ばね１６を介設して、このばね１６により弁座１３に弁体２０を付勢させ、給水路２の上流側１８と下流側１９とを縁切りしている。
【００１９】
したがって、静圧時は、コイル状ばね１６が予め収縮されて介設しているため、この収縮により発生するばね反力により弁座パッキン１７が弁座１３に密接され、逆流防止機能を果たすことができる。
【００２０】
また、図３に示すように、動圧時は弁座パッキン１７が流体の受圧部となり、動圧を受けたばね受部１４はコイル状ばね１６をさらに収縮させ、矢印で示すように、流体は給水路２の上流側１８から、弁座１３と弁座パッキン１７との間、コイル状ばね１６の各巻線間の隙間ｅ、弁体支持部材３の通孔４を通ってる下流側１９へと流れる。
【００２１】
したがって、流体の圧力変動に応じてコイル状ばね１６の各巻線間の隙間ｅが変化するため、コイル状ばね１６の各巻線間の隙間ｅを流れる流体の流量が流体の圧力変動に応じて変化し、定流量機能を発揮できる。
【００２２】
而して、コイル状ばね１６は１つで逆流防止機能と定流量機能を合せ持つことになり、部品点数の削減及びコンパクト化を図ることができる。
【００２３】
また、小便器Ａ本体３０の上部の限られたスペース内に、逆流防止性能を確保するとともに安定した水洗能力を得ることのできる逆流防止弁付定流量弁１を組み込むことができ、大変有益で実用的な小便器を提供することができる。
【００２４】
尚、上述した実施例においては、小便器の自動フラッシュバルブ装置ａの給水路に内蔵して、安定した水洗能力を得るとともに、逆流防止性能を確保する逆流防止弁付定流量弁１を限られたスペース内に設置する場合について述べたが、本発明に係る逆流防止弁付定流量弁１の用途は、これに限定されるものではなく、幅の広い利用が可能である。
【００２５】
また、本発明に係る逆流防止弁付定流量弁は、適用する機器並びに装置等の供給側に設置する他、機器並びに装置等の出口側に設置して使用することもできる。
【００２６】
また、本発明に係る逆流防止弁付定流量弁の具体的な配置の仕方や流量制御すべき流体の種類および求められる逆流防止性能等の設定も任意であり、その他、具体的な細部構造等についても適宜に変更可能であることは勿論である。
【図面の簡単な説明】
【図１】本発明に係る逆流防止弁付定流量弁を小便器に備えた例を示す斜視図である。
【図２】本発明に係る逆流防止弁付定流量弁を給水路内に配設した静圧時の状態を示す部分断面図である。
【図３】図２の動圧時の状態を示す部分断面図である。
【符号の説明】
Ａ…小便器
ａ…自動フラッシュバルブ装置
ｅ…隙間
１…逆流防止弁付定流量弁
２…給水路
３…弁体支持部材
４…通孔
５…軸受筒体
６…軸受孔
７…支持部
８…段部
９…弁座支持筒
１０…環状溝
１１…シール部材
１２…弁座支持部
１３…弁座
１４…ばね受部
１５…ガイド軸
１６…コイル状ばね
１７…弁座パッキン
１８…上流側
１９…下流側
２０…弁体
２１…段部
２５…人体検知センサ
２６…吐水口
２７…尿壁面
２８…ボール面
３０…本体
【図１】
0003582372.tif 000002
【図２】
0003582372.tif 000003
【図３】
0003582372.tif 000004